(57)【要約】【課題】チャンネル切り替え時の選局待ち時間を短縮するデジタル放送選局装置、デジタル放送選局方法を提供する。【解決手段】ＲＦ信号を入力としてチャンネルを選局しチャンネルのＴＳ（トランスポートストリーム）を出力する各々は異なるチャンネルを選局する複数の選局部と、複数の選局部の各々の出力の一つを選択してＴＳ出力する選択部と、各々の選局部が選局する選局情報と受信可能な局情報を格納する選局記憶部と、受信者入力からの操作情報を入力として選局記憶部と複数の選局部と選択部を制御する選局制御部を具備することを特徴とするデジタル放送選局装置。【選択図】  図１
2004312504.tif 000002
【特許請求の範囲】
【請求項１】
ＲＦ信号を入力としてチャンネルを選局し前記チャンネルのＴＳ（トランスポートストリーム）を出力する各々は異なるチャンネルを選局する複数の選局部と、複数の前記選局部の各々の出力の一つを選択してＴＳ出力する選択部と、各々の前記選局部が選局する選局情報と受信可能な局情報を格納する選局記憶部と、受信者入力からの操作情報を入力として前記選局記憶部と複数の前記選局部と前記選択部を制御する選局制御部を具備することを特徴とするデジタル放送選局装置。
【請求項２】
曜日・時間を管理するタイマーを具備することを特徴とする請求項１に記載のデジタル放送選局装置。
【請求項３】
ＲＦ信号を入力として個々は固定したチャンネルを選局し前記チャンネルのＴＳ（トランスポートストリーム）を出力する全チャンネルの数だけ設けた各々は異なるチャンネルを選局する複数の選局部と、受信可能な局情報を格納する選局記憶部と、複数の前記選局部の各々の出力の一つを選択してＴＳ出力する選択部と、受信者入力からの操作情報を入力として複数の前記選局部と前記選択部を制御する選局制御部を具備することを特徴とするデジタル放送選局装置。
【請求項４】
請求項１のデジタル放送選局装置において、受信可能な全チャンネルの局情報を選局記憶部に格納するステップと、予め受信可能な全チャンネルを各々の前記選局部で選局するステップと、各前記選局部で選局しているチャンネル番号とその選局部の対応情報を前記選局記憶部に格納するステップと、選局に関する操作情報が入力されると前記選局制御部が前記選局記憶部に格納した前記チャンネル番号とその選局部の対応情報を参照しそのチャンネルを選局している選局部の出力を選択するステップと、を有することを特徴とするデジタル放送選局方法。
【請求項５】
請求項２のデジタル放送選局装置において、受信可能な全チャンネルの局情報を選局記憶部に格納するステップと、選局に関する操作情報が入力され受信可能なチャンネルであればタイマーを参照して選局に関する操作情報が入力された曜日・時間の情報とチャンネル番号の情報を選局操作情報として前記選局記憶部に格納するステップと、前記選局記憶部に格納した選局操作情報もしくは、前記選局操作情報を演算処理した結果を元に前記選択部が出力を選択している以外の選局部が予め選局するチャンネルを決めその選局部に予め早い時間に選局するステップと、各前記選局部が選局しているチャンネル番号とその選局部の対応情報を前記選局記憶部に格納するステップと、選局に関する操作情報が入力されると前記選局記憶部に格納した各前記選局部が選局しているチャンネル番号とその選局部の対応情報を参照しそのチャンネルを選局している選局部の出力を選択するステップと、を有することを特徴とするデジタル放送選局方法。
【請求項６】
請求項３のデジタル放送選局装置において、受信可能な全チャンネルの局情報を選局記憶部に格納するステップと、予め受信できる全チャンネルの選局部で選局するステップと、選局に関する操作情報が入力されるとそのチャンネルを選局する選局部の出力を選択するステップと、を有することを特徴とするデジタル放送選局方法。
【発明の詳細な説明】
【０００１】
【発明の属する技術分野】
本発明は、デジタル放送の受信機における選局に関する。
【０００２】
【従来の技術】
近年、地上波、衛星波、ケーブルによるデジタル放送が登場してきている。
【０００３】
デジタル放送選局装置について図を参考にしながら説明する。図６は、従来のデジタル放送選局装置（国内地上波のフロントエンド）の構造を示すブロック図である（例えば非特許文献１参照。）。
【０００４】
図において、チューナーパック  選局  検波６０１、復調・復号６０２、デインターリーブ  階層処理  エネルギー逆拡散等６０３、ＴＳ再生６０４、ＴＭＣＣ復号６０５から構成される。
【０００５】
次に従来例の動作について、説明する。チューナーパック選局  検波６０１でチャンネル選択をおこない、復調・復号６０２で復調をおこない、ＴＭＣＣ復号６０５でＴＭＣＣ信号からＴＭＣＣ情報を抽出し、デインターリーブ  階層処理エネルギー逆拡散等６０３で、デインタリーブ処理、誤り訂正を行い、ＴＳ再生６０４でＴＳ再生の処理を行なう。
【０００６】
【非特許文献１】
デジタル放送用受信装置  標準規格  ＡＲＩＢ  ＳＴＤ−Ｂ２１  ３．１版４ページ、１４ページ〜１５ページ
【０００７】
【発明が解決しようとする課題】
しかしながら以上の構成では、デインターリーブ等の処理に時間がかかるためアナログ放送の選局に比べ、選局に時間がかかるという問題があった。
【０００８】
【課題を解決するための手段】
上記の課題を解決するため、本発明は下記の構成を有する。
【０００９】
請求項１に記載の発明は、ＲＦ信号を入力としてチャンネルを選局し前記チャンネルのＴＳ（トランスポートストリーム）を出力する各々は異なるチャンネルを選局する複数の選局部と、複数の前記選局部の各々の出力の一つを選択してＴＳ出力する選択部と、各々の前記選局部が選局する選局情報と受信可能な局情報を格納する選局記憶部と、受信者入力からの操作情報を入力として前記選局記憶部と複数の前記選局部と前記選択部を制御する選局制御部を具備することを特徴とするデジタル放送選局装置である。
【００１０】
請求項２に記載の発明は、曜日・時間を管理するタイマーを具備することを特徴とする請求項１に記載のデジタル放送選局装置である。
【００１１】
請求項３に記載の発明は、ＲＦ信号を入力として個々は固定したチャンネルを選局し前記チャンネルのＴＳ（トランスポートストリーム）を出力する全チャンネルの数だけ設けた各々は異なるチャンネルを選局する複数の選局部と、受信可能な局情報を格納する選局記憶部と、複数の前記選局部の各々の出力の一つを選択してＴＳ出力する選択部と、受信者入力からの操作情報を入力として複数の前記選局部と前記選択部を制御する選局制御部を具備することを特徴とするデジタル放送選局装置である。
【００１２】
請求項４に記載の発明は、請求項１のデジタル放送選局装置において、受信可能な全チャンネルの局情報を選局記憶部に格納するステップと、予め受信可能な全チャンネルを各々の前記選局部で選局するステップと、各前記選局部で選局しているチャンネル番号とその選局部の対応情報を前記選局記憶部に格納するステップと、選局に関する操作情報が入力されると前記選局制御部が前記選局記憶部に格納した前記チャンネル番号とその選局部の対応情報を参照しそのチャンネルを選局している選局部の出力を選択するステップと、を有することを特徴とするデジタル放送選局方法である。
【００１３】
請求項５に記載の発明は、請求項２のデジタル放送選局装置において、受信可能な全チャンネルの局情報を選局記憶部に格納するステップと、選局に関する操作情報が入力され受信可能なチャンネルであればタイマーを参照して選局に関する操作情報が入力された曜日・時間の情報とチャンネル番号の情報を選局操作情報として前記選局記憶部に格納するステップと、前記選局記憶部に格納した選局操作情報もしくは、前記選局操作情報を演算処理した結果を元に前記選択部が出力を選択している以外の選局部が予め選局するチャンネルを決めその選局部に予め早い時間に選局するステップと、各前記選局部が選局しているチャンネル番号とその選局部の対応情報を前記選局記憶部に格納するステップと、選局に関する操作情報が入力されると前記選局記憶部に格納した各前記選局部が選局しているチャンネル番号とその選局部の対応情報を参照しそのチャンネルを選局している選局部の出力を選択するステップと、を有することを特徴とするデジタル放送選局方法である。
【００１４】
請求項６に記載の発明は、請求項３のデジタル放送選局装置において、受信可能な全チャンネルの局情報を選局記憶部に格納するステップと、予め受信できる全チャンネルの選局部で選局するステップと、選局に関する操作情報が入力されるとそのチャンネルを選局する選局部の出力を選択するステップと、を有することを特徴とするデジタル放送選局方法である。
【００１５】
本発明は、デジタル放送の選局において、ユーザーの選局の待ち時間を短くすることを実現できるという作用を有する。
【００１６】
【発明の実施の形態】
以下本発明の実施の形態について、図面とともに記載する。
【００１７】
（実施の形態１）
図１、図３及び図４を用いて、実施の形態１のデジタル放送選局装置を説明する。図１は、実施の形態１のデジタル放送選局装置の構成を示す。図１において、１０１は第一選局部、１０２は第二選局部、１０３は第Ｎ選局部、１０４は選択部、１０５は選局制御部、１０６は選局記憶部である。選局部はＮ個設ける。
【００１８】
第一選局部１０１は、選局制御部１０５からのチャンネル制御選択信号によりそのチャンネルの選局を行ない、そのチャンネルのＴＳを出力する。第二選局部１０２は、選局制御部１０５からのチャンネル制御選択信号によりそのチャンネルの選局を行ない、そのチャンネルのＴＳを出力する。第Ｎ選局部１０３は、選局制御部１０５からのチャンネル制御選択信号によりそのチャンネルの選局を行ない、そのチャンネルのＴＳを出力する。選局記憶部１０６には、チャンネル番号とその選局の対応情報と受信可能な局情報を格納する。選択制御部１０５は、選局に関する操作情報を受けると選局記憶部１０６のチャンネル番号とその選局の対応情報を参照して、選択部１０４に選択信号と送る。選択部１０４は、選択信号を受けるとその選局部の出力を選択して出力とする。選択した選局部が、選局できた状態のときには、選択制御部１０５は、選局可否出力に１を、選局できていない状態ののときは０を出力する。図３は、受信可能な局情報である。受信可能なチャンネルの受信可能フラグ３０１は、１を設定、不可能なチャンネルの受信可能フラグ３０１は、０を設定する。
【００１９】
図４は、チャンネル番号とその選局部の対応情報である。その選局部が、選局するチャンネルをチャンネル番号領域４０１に設定する。
【００２０】
実施の形態１のデジタル放送選局装置は、スイッチオンされると、受信可能な全チャンネルを各々の選局部で、選局する。受信可能なチャンネルは、選局記憶部１０６に設定した受信可能な局情報を参照するか、受信可能な局情報が設定されていなければ、データ放送から情報を取得し、受信可能フラグ３０１を設定する。
【００２１】
各選局部が選局するチャンネル番号とその選局部の対応情報を選局記憶部１０６のその選局部の対応したチャンネル番号領域４０１にそのチャンネルを設定する。選局に関する操作情報が、入力されると選局記憶部１０６のチャンネル番号とその選局部の対応情報を参照し、選択部１０４でそのチャンネルを選択している選局部の出力を選択する。
【００２２】
（実施の形態２）
図１、図３、図４及び図５を用いて、実施の形態２のデジタル放送選局装置を説明する。図１において、１０７はタイマーである。タイマー１０７は曜日・時間を管理する。選局記憶部１０６は、実施の形態１の機能に追加して、曜日・時間の情報とチャンネル番号の情報を含んだ選局操作情報を格納する。選局制御部１０５は、実施の形態１の機能に追加して、タイマー１０７からの曜日・時間情報の収集、曜日・時間の情報とチャンネル番号の情報の管理、および、曜日・時間の情報とチャンネル番号の情報を参照し、各時間における各選局部の選局チャネルの制御をおこなう。
【００２３】
図５は、曜日・時間の情報とチャンネル番号の情報の関係を表した選局操作情報である。操作チャンネル格納領域５０１に１０分ごとに受信者が最も選局していたチャンネル番号を設定する。図３、図４は、実施の形態１と同様に使用する。
【００２４】
実施の形態２のデジタル放送選局装置は、操作チャンネル格納領域５０１に１０分ごとに受信者が最も選局していたチャンネル番号を格納し、選択部１０４が選択していない選局部に、選局記憶部に格納された操作チャンネル格納領域５０１の同じ曜日の同じ時間のチャンネルを選局する。図５の曜日・時間の情報とチャンネル番号の情報を含んだ選局操作情報は、１週間分だが、この枚数を増やすことにより数週間分の情報を参照できる。選局部の数が、選局対象のチャンネルより少ない場合は、現時点に近い週のデータを優先させて選局する方法や、各週のデータに重み付けしてして合計しその値により選局を優先させるチャンネルを決める方法を使用する。また、選局には、若干の時間がかかることやユーザーが前もって番組を選局する可能性が高いので、曜日・時間の情報とチャンネル番号の情報を含んだ選局操作情報より、１０分ほど前倒しで、選択部１０４に選択されていない選局部の選局を実施する。
【００２５】
（実施の形態３）
図２、図３を用いて、実施の形態３のデジタル放送選局装置を説明する。図２において、２０１は１３チャンネルの選局部、２０２は１４チャンネルの選局部、２０３は４９チャンネルの選局部、２０４は選択部、２０５は選局制御部、２０６は選局記憶部である。選局部は、１３チャンネルから連続的に４９チャンネルまで３７個設ける。これは、国内地上波デジタルの２０１１年までの使用チャンネルを想定している。
【００２６】
１３チャンネルの選局部２０１は、１３チャンネルのみを選局しそのチャンネルのＴＳを出力する。１４チャンネルの選局部２０２は、１４チャンネルのみを選局しそのチャンネルのＴＳを出力する。４９チャンネルの選局部２０３は、４９チャンネルのみを選局しそのチャンネルのＴＳを出力する。選局記憶部２０６には、受信可能な局情報を格納する。選択制御部２０５は、選局に関する操作情報を受けると選択部２０４に選択信号を送る。選択部２０４は、選択信号を受けるとその選局部の出力を選択する。選択した選局部が、選局できた状態のときには、選択制御部２０５は、選局可否出力に１を、選局できていない状態ののときは０を出力する。図３は実施の形態１と同様に使用する。
【００２７】
実施の形態３のデジタル放送選局装置は、スイッチオンされると、受信可能な全チャンネルをそのチャンネル専用の選局部で、選局する。受信可能なチャンネルは、選局記憶部２０６に設定した受信可能な局情報を参照するか、受信可能な局情報が設定されてなければ、データ放送から情報を取得し、受信可能フラグ３０１を設定する。選局に関する操作情報が、入力されると選択部２０４でそのチャンネルの選局部を選択しその選局部の出力を選択して出力とする。
【００２８】
【発明の効果】
以上のように本発明は、チャンネル切り替え時の選局待ち時間を短縮するデジタル放送選局装置、デジタル放送選局方法を実現できるという有利な効果が得られる。
【図面の簡単な説明】
【図１】実施の形態１、実施の形態２のデジタル放送選局装置の構成を示す図
【図２】実施の形態３のデジタル放送選局装置の構成を示す図
【図３】受信可能な局情報を示す図
【図４】チャンネル番号と選局部の対応情報を示す図
【図５】曜日・時間の情報とチャンネル番号の情報を含んだ選局操作情報を示す図
【図６】従来のデジタル放送選局装置の構成を示す図
【符号の説明】
１０１  第一選局部
１０２  第二選局部
１０３  第Ｎ選局部
１０４  選択部
１０５  選局制御部
１０６  選局記憶部
１０７  タイマー
２０１  １３チャンネルの選局部
２０２  １４チャンネルの選局部
２０３  ４９チャンネルの選局部
２０４  選択部
２０５  選局制御部
２０６  選局記憶部
３０１  受信可能フラグ
４０１  チャンネル番号格納領域
５０１  操作チャンネル格納領域
６０１  チューナーパック  選局  検波
６０２  復調・復号
６０３  デインターリーブ  階層処理  エネルギー逆拡散等
６０４  ＴＳ再生
６０５  ＴＭＣＣ復号
【図１】
2004312504.tif 000003
【図２】
2004312504.tif 000004
【図３】
2004312504.tif 000005
【図４】
2004312504.tif 000006
【図５】
2004312504.tif 000007
【図６】
2004312504.tif 000008